【手続補正書】
【提出日】平成19年10月18日(2007.10.18)
【手続補正１】
【補正対象書類名】特許請求の範囲
【補正対象項目名】全文
【補正方法】変更
【補正の内容】
【特許請求の範囲】
【請求項１】
１以上のフォルダの階層間でフォルダを同期化するために、コンピュータによって実行される方法であって、前記方法は、
互いにリンクすべき１以上の階層を選択するステップと、
前記選択された１以上の階層のフォルダを不変の識別子を用いて比較するステップと、
前記選択された１以上の階層の各々のフォルダをフィールドに解析するステップと、
不変の識別子がマッチする重複フォルダを特定するために、前記選択された１以上の階層の前記解析されたフォルダのフィールドを比較するステップと、ここで、前記重複フォルダは異なる1以上のエントリーを1以上のフィールド内に含んでおり、
前記解析されたフォルダのフィールドの比較に応じて発生された１以上の競合ルールに基づき前記選択された１以上の階層の前記フォルダを同期化するかどうか判定するステップと、
同期化するという判定に応じて、前記選択された1以上の階層の重複フォルダを合成し、かつ、前記1以上のエントリーの各々からの情報の少なくとも1サブセットを含む単一のマージエントリーを生成すべく前記異なる1以上のエントリーをマージするステップであって、実質的に自動的に実行される該ステップと
を具備することを特徴とする方法。
【請求項２】
前記請求項１の方法であって、前記マージするステップは、更に、前記選択された１以上の階層のうちの１つにおける解析されたフォルダ内に１つのエントリーを有するフィールドと、前記選択された１以上の階層の別のものにおける解析されたフォルダ内にエントリーを持たないフィールドとを特定する競合ルールに応じて前記選択された１以上の階層のフォルダをマージするステップを含むことを特徴とする方法。
【請求項３】
前記請求項２の方法であって、前記フォルダをマージするステップは、更に、フォルダをマージされた前記選択された１以上の階層のための重複フォルダを生成するステップを含むことを特徴とする方法。
【請求項４】
前記請求項１の方法であって、更に、前記選択された１以上の階層のうちの１つにおける解析されたフォルダ内に１つの異なるエントリーを有するフィールドを、前記選択された１以上の階層の別のものにおける解析されたフォルダ内のフィールドから特定する競合ルールに応じて重複フォルダを作成するステップを含むことを特徴とする方法。
【請求項５】
前記請求項１の方法であって、フォルダは個人情報マネジャーからの連絡先情報に対応する複数のエントリーを含むことを特徴とする方法。
【請求項６】
前記請求項１の方法であって、フォルダは複数のインスタントメッセンジャーアドレスを含むことを特徴とする方法。
【請求項７】
前記請求項１の方法であって、フォルダはサブフォルダを含むことを特徴とする方法。
【請求項８】
ネットワーク内の複数のフォルダを１つのフォルダにマージする方法であって、前記方法は、
第１のフォルダのエントリーと第２のフォルダの間の重複エントリーを特定するために、前記第１のフォルダのエントリーと前記第２のフォルダのエントリーを比較するステップであって、前記第１のフォルダのエントリーの識別子と前記第２のフォルダのエントリーの識別子とのマッチに応じて重複されるべき１つのエントリが判定されるものと、
前記第１のフォルダの前記特定された重複エントリーをグループ化するステップと、
前記第２のフォルダの前記特定された重複エントリーをグループ化するステップと、
エントリーのペアリングを生成するステップであって、前記ペアリングは、１つのグループの特定された重複エントリーと別のグループの各特定された重複エントリーをマージすることに連携された値を含むものと、
特定された重複エントリーをマージするための範囲を決定するために割り当てられた値に基づきエントリーをマッチングするステップと、
前記特定された重複エントリーの各々からの情報の少なくとも1サブセットを含む単一のマージエントリーを生成すべく、マッチした前記特定された重複エントリー同士をマージするステップと
を具備することを特徴とする方法。
【請求項９】
前記請求項８の方法であって、前記生成するステップは、更に、複数のマトリックスエントリーからなるマトリックスを生成するステップを含んでおり、各マトリックスエントリーは１つのグループの特定された重複エントリーと別のグループの各特定された重複エントリーをマージすることに関係付けられた値を含むことを特徴とする方法。
【請求項１０】
前記請求項９の方法であって、前記マトリックスを生成するステップは、更に、マッチされたマトリクスエントリーから基礎となるエントリーを特定して、前記重複エントリーからの前記基礎となるエントリーの情報にマージするステップとを含むことを特徴とする方法。
【請求項１１】
前記請求項９の方法であって、前記特定するステップは、更に、第２のフォルダの前記特定された重複エントリー内にのみ存在する前記基礎となる情報にマージするステップを含むことを特徴とする方法。
【請求項１２】
前記前記請求項８の方法であって、前記比較するステップは、更に、重複エントリーを特定する識別子として、電子メールアドレス、個人名、会社名及び電話番号からなるグループから１つをマッチングするステップを含むことを特徴とする方法。
【請求項１３】
前記請求項９の方法であって、前記マトリクスを生成するステップは、更に、各マトリクスエントリーのために、第１のフォルダのグループからの特定された重複エントリーと第２のフォルダのグループからの特定された重複エントリーとをマージすることに関係付けられた要素を特定するステップと、
前記要素と数値スコアを関係付けるステップと
を含むことを特徴とする方法。
【請求項１４】
前記請求項１３の方法であって、乗数により数値スコアを重み付けするステップを更に含むことを特徴とする方法。
【請求項１５】
前記請求項１３の方法において、前記マトリクスエントリー中の最も高い数値スコアと最も低い数値スコアが除去されることを特徴とする方法。
【請求項１６】
ネットワーク内の複数のフォルダを１つのフォルダにマージするシステムであって、前記システムは、
第１のフォルダのエントリーと第２のフォルダの間の重複エントリーを特定するために、前記第１のフォルダのエントリーと前記第２のフォルダのエントリーを比較するための手段であって、前記第１のフォルダのエントリーの識別子と前記第２のフォルダのエントリーの識別子とのマッチに応じて重複されるべき１つのエントリが判定させるものと、
前記第１のフォルダの前記特定された重複エントリーをグループ化するための手段と、
前記第２のフォルダの前記特定された重複エントリーをグループ化するための手段と、
エントリーのペアリングを生成するための手段であって、前記ペアリングは、１つのグループの特定された重複エントリーと別のグループの各特定された重複エントリーをマージすることに連携された値を含むものと、
特定された重複エントリーをマージするための範囲を決定するために割り当てられた値に基づきエントリーをマッチングするための手段と、
前記特定された重複エントリーの各々からの情報の少なくとも1サブセットを含む単一のマージエントリーを生成すべく、マッチした前記特定された重複エントリー同士をマージする手段と
を具備することを特徴とするシステム。
【請求項１７】
前記請求項１６のシステムであって、前記マッチングするための手段は、更に、マッチされたマトリクスエントリーから基礎となるエントリーを特定して、前記重複エントリーからの前記基礎となるエントリーの情報にマージするための手段とを含むことを特徴とするシステム。
【請求項１８】
前記請求項１７のシステムであって、前記特定するための手段は、更に、第２のフォルダの前記特定された重複エントリー内にのみ存在する前記基礎となる情報にマージするための手段を含むことを特徴とするシステム。
【請求項１９】
前記請求項１６のシステムであって、値のマトリクスを生成するための手段は、更に、各マトリクスエントリーのために、第１のフォルダのグループからの特定された重複エントリーと第２のフォルダのグループからの特定された重複エントリーとをマージすることに連携された要素を特定するための手段と、
前記要素と数値スコアを連携するための手段と
を具備することを特徴とするシステム。
【手続補正２】
【補正対象書類名】図面
【補正対象項目名】図９ｂ
【補正方法】変更
【補正の内容】
【図９ｂ】
2007524927.tif 000001